(57)【要約】  【課題】  不正な複写処理が行われることのないコンテンツの移動処理を実現可能とする。  【解決手段】  移動元の記録媒体１０４から読み出したコンテンツを移動先の記録媒体１０７の移動する処理を実行する際に、記録媒体１０４の移動先端位置と、この移動先端位置からコンテンツの重複を許容する期間遡った位置との間に再生不可境界位置を設定してこれを不揮発性メモリ１１８に書き込み、再生不可境界位置から記録先端側のコンテンツを再生不可能とする。移動処理が推移して再生不可境界位置が移動先端位置から重複許容期間遡った位置内から外れそうになったら、移動先端に近い位置に移してその位置を新たに不揮発性メモリ１１８に書き込み、それより記録先端側を再生不可能にする処理を移動が完了するまで行う。【選択図】  図３
2005339743.tif 000002
【特許請求の範囲】
【請求項１】
コンテンツが記録された移動元記録媒体から移動対象のコンテンツをその記録先端から順次移動先の記録媒体に移動させるコンテンツ管理方法において、
移動処理中における前記移動元の記録媒体の移動先端位置と、この移動先端位置から、前記移動元の記録媒体と移動先の記録媒体とにコンテンツの重複を許容する期間だけ遡った位置までの間の位置に再生不可境界位置を設定するステップと、
前記設定された再生不可境界位置を示す情報を不揮発性記憶手段に記憶させるステップと、
前記移動元記録媒体の前記設定された再生不可境界位置から前記コンテンツの記録先端までを再生不可能にするステップと、
を備えたことを特徴とするコンテンツ管理方法。
【請求項２】
前記再生不可境界位置を設定するステップは、前記不揮発性記憶手段に位置情報として記憶された再生不可境界位置が、前記移動先端位置と当該移動先端位置から前記重複許容期間遡った位置との間の外に出そうになった際に、当該再生不可境界位置を前記移動先端に近い位置に再設定するステップを含むものであることを特徴とする請求項１に記載のコンテンツ管理方法。
【請求項３】
さらにコンテンツの移動処理を実行中であることを示すフラグを前記不揮発性記憶手段に立てるステップを含むことを特徴とする請求項１または２に記載のコンテンツ管理方法。
【請求項４】
前記再生不可境界位置情報を不揮発性記憶手段に記憶するステップは、外部から解読不可能な形態で前記不揮発性記憶手段に記憶するものであることを特徴とする請求項１乃至３のいずれかに記載のコンテンツ管理方法。
【請求項５】
コンテンツが記録された記録媒体と、
この記録媒体に記録されたコンテンツをその記録先頭位置から順次当該記録媒体とは異なる移動先記録媒体に移動させる処理を行う移動処理手段と、
不揮発性記憶手段と、
前記移動処理手段によって、前記コンテンツの移動処理を実行する際に、前記移動元記録媒体の移動先端位置と、当該移動先端位置から前記移動元記録媒体と移動先記録媒体間でコンテンツの重複を許容する期間遡った位置との間に再生不可境界位置を設定してその位置情報を前記不揮発性記憶手段に記憶させると共に当該再生不可境界位置より前記記録先頭側のコンテンツを再生不可能とする制御手段と、
を具備したことを特徴とするコンテンツ記録再生装置。
【請求項６】
前記制御手段は、前記再生不可境界位置が前記移動先端位置とその位置から重複許容期間遡った位置との間の外に出る前に、当該再生不可境界位置を前記移動先端位置に近い位置に再設定してその位置情報を前記不揮発性記憶手段に記憶させると共に、再設定した再生不可境界位置より前記記録先端側のコンテンツを再生不可能にするものであることを特徴とする請求項５に記載のコンテンツ記録再生装置。
【請求項７】
前記制御手段は、前記移動処理手段が移動処理を実行中であることを示すフラグを前記不揮発性記憶手段に記憶させるものであることを特徴とする請求項５または６に記載のコンテンツ記録再生装置。
【請求項８】
前記制御手段は、前記再生不可境界位置情報を、外部から解読不可能な形態で前記不揮発性記憶手段に記憶するものであることを特徴とする請求項５乃至７のいずれかに記載のコンテンツ記録再生装置。
【発明の詳細な説明】
【技術分野】
【０００１】
この発明は、記録媒体に記録されたコンテンツの管理方法及びコンテンツの記録再生装置に関し、特に著作権に基づきコピーが禁止されているコンテンツを他の記録媒体へ移動する場合に好適なコンテンツ管理方法及びコンテンツ記録再生装置に関する。
【背景技術】
【０００２】
ある記録媒体に記録されているコンテンツを他の記録媒体に記録しようとする場合、コンテンツが著作権に基づいてコピーが禁止されていれば、新たな記録を実行した後では、元の記録媒体にはそのコンテンツが存在しない状態にしておく必要があり、いわゆるコピーではなく、コンテンツの移動処理を実行することになる。
【０００３】
例えば、デジタル放送を受信するテレビジョン受像機において、録画機能を搭載して番組を録画できるようにした製品も市場に投入されているが、このような製品においては、記録媒体として大きな記録容量のＨＤＤ（Hard Disk Drive）を用い、放送番組（コンテンツ）を垂れ流し的に録画しておいて、後で特に残しておきたい番組を選択して例えばＤＶＤ（Digital Versatile Disk）に記録し直すという使い方がされることがある。
【０００４】
この場合の処理としては、ＨＤＤからコンテンツを再生してＤＶＤに記録するということになるが、コンテンツが著作権で保護されてコピーが禁止されていれば、ＤＶＤに記録した後に、ＨＤＤ側のコンテンツを削除する（再生不可能にする）必要がある。
【０００５】
このように移動元の記録媒体から移動先の記録媒体にコンテンツを移動させる場合には、移動元のコンテンツを削除する必要があるが、この削除処理は、コンテンツの移動が完了した後に、ソフトウェアによって実行されるものであり、コンテンツデータの移動完了直前に機器の電源が切断されたりして、移動処理が異常終了した場合には、削除処理が実行されずコンテンツが移動元に再生可能な状態で残ってしまい、移動先には略完全な形でコンテンツデータが複製されるという事態が生ずることになる。
【０００６】
このコンテンツ移動処理直前に機器の電源を切断するという行為は、ユーザによって可能であり、これによってコンテンツの違法複写を複数実行することが可能となるため、従来、著作権で保護されたコンテンツを厳格に管理することは困難であった。
【０００７】
また、このようにコンテンツを他の記録媒体に移動させる際に、コンテンツの一部について、両方の記録媒体に存在することを許容するという取り決めがＡＲＩＢ（Association of Radio Industries and Businesses）で制定されており（ＴＲ−Ｂ１４第八編５．５．４ムーブ機能）、電源が遮断された場合にそれに対応させることも困難であった。
【０００８】
従来、例えば特許文献１に示すように、データ書き込み中に電源が遮断された場合、いかにデータを壊すことなく確保するかという提案は多くなされているが、不正複写を防止するという観点でなされた提案は存在しない。
【特許文献１】特開平７−２００４１８号公報
【発明の開示】
【発明が解決しようとする課題】
【０００９】
以上のように、従来、記録媒体に記録されたコンテンツを他の記録媒体に移動させる場合、機器の電源を遮断すると複写が可能となり、また重複期間を許容する場合の対応が困難になるという問題があった。
【００１０】
本発明は、以上の点に考慮してなされたものであり、コンテンツを移動処理中に、コンテンツの移動先端位置から、移動元及び移動先記録媒体間にコンテンツの重複を許容する期間に相当する期間遡った期間を設定し、その期間内に記録媒体のコンテンツ再生不可境界位置を設定して、その位置情報を機器内部に暗号化して記憶させると共にこの再生不可境界位置をコンテンツデータの移動処理の推移に対応させて移動させつつ記憶させるさせることで、移動処理が中断した場合に、再生不可境界位置から移動を再開させることで不正複写を防止するようにしたコンテンツ管理方法及びコンテンツ記録再生装置を提供することを目的とする。
【課題を解決するための手段】
【００１１】
本発明のコンテンツ管理方法は、コンテンツが記録された移動元記録媒体から移動対象のコンテンツをその記録先端から順次移動先の記録媒体に移動させるコンテンツ管理方法において、移動処理中における前記移動元の記録媒体の移動先端の位置と、この移動先端位置から、前記移動元の記録媒体と移動先の記録媒体とにコンテンツの重複を許容する期間遡った位置までの間の位置に再生不可境界位置を設定するステップと、前記設定された再生不可境界位置を示す情報を不揮発性記憶手段に記憶させるステップと、前記移動元記録媒体の前記設定された再生不可境界位置から前記コンテンツの記録先端までを再生不可能にするステップと、を備えたことを特徴とする。
【００１２】
本発明のコンテンツ記録再生装置は、コンテンツが記録された記録媒体と、この記録媒体に記録されたコンテンツをその記録先頭位置から順次当該記録媒体とは異なる移動先記録媒体に移動させる処理を行う移動処理手段と、不揮発性記憶手段と、前記移動処理手段によって、前記コンテンツの移動処理を実行する際に、前記移動元記録媒体の移動先端位置と、当該移動先端位置から前記移動元記録媒体と移動先記録媒体間でコンテンツの重複を許容する期間遡った位置との間に再生不可境界位置を設定してこれを前記不揮発性記憶手段に記憶させると共に当該再生不可境界位置より前記記録先頭側のコンテンツを再生不可能とする制御手段と、を具備したことを特徴とする。
【発明の効果】
【００１３】
本発明によれば、コンテンツ移動処理の途中で機器の電源が遮断されたりして処理が中断した場合に、重複許容期間内のポインタを用いて移動処理を再開するように処理されるため、不正複写を防止することができるものである。
【発明を実施するための最良の形態】
【００１４】
以下、図面を参照して、この発明のコンテンツ記録再生装置について詳細に説明する。図１は、この発明を適用したコンテンツ記録再生装置１００の実施の一形態を示す回路ブロック図である。
【００１５】
図１において、コンテンツ記録再生装置１００は、記録再生処理部１０１と、第１の記録部１０２及び第２の記録部１０３を含む。
【００１６】
第１の記録部１０２は、コンテンツデータを記録する記録媒体１０４とこの記録媒体１０４へのデータの記録再生処理を制御するコントローラ１０５及び記録再生処理部１０１との間でデータの送出及び受領処理を行うインターフェース１０６を備える。
【００１７】
また、第２の記録部１０３も同様に、コンテンツデータを記録する記録媒体１０７とこの記録媒体１０７へのデータの記録再生処理を制御するコントローラ１０８及び記録再生処理部１０１との間でデータの送出及び受領処理を行うインターフェース１０９を備える。
【００１８】
記録部１０２及び１０３の記録媒体１０４，１０７は、それぞれ内部に固定的に設けられたものであってもよく、あるいはリムーバル型のものであってもよい。
【００１９】
また、第１及び第２の記録部１０２，１０３はそれぞれ、記録再生処理部１０１の筐体内に一体的に設けられたものであってもよく、あるいはそのいずれか一方または両方が記録再生処理部１０１とは別体に設けられたものであってもよい。
【００２０】
記録再生処理部１０１は、外部からコンテンツを入手してこれを、所定の鍵データに基づいて暗号化して第１の記録部１０２あるいは第２の記録部１０３に記録し、さらに記録されたコンテンツデータを再生して暗号化したデータを解読しかつ復号化して出力し、さらに第１及び第２の記録部１０２，１０３間でコンテンツデータを移動する機能を有する。暗号化については、記録再生処理部１０１自身でしか解読できないように鍵データが設定されている。
【００２１】
以上のような機能の処理を実現するために、記録再生処理部１０１は、全体の制御を司るＣＰＵ（Central Processing Unit）１１０を備えている。ＣＰＵ１１０には、各種処理を実行するためのプログラムが格納されたＲＯＭ（Read Only Memory）部とワークエリアとしてのＲＡＭ（Random Access Memory）部を有するメモリ１１１が接続されている。
【００２２】
また、ＣＰＵ１１０には、デジタルテレビジョン放送を受信して復調及びデマルチプレクス等の処理を施し、ＭＰＥＧ（Moving Picture Experts Group）２の放送番組を構成するＥＳ（Elementary Stream）を含むＴＳ（Transport Stream）を出力する受信部１１２が接続されている。受信部１１２は、放送電波をキャッチするためのアンテナ１１３に接続されている。
【００２３】
さらに、ＣＰＵ１１０には記録部１０２との間でコンテンツデータのやり取りを行うインターフェース１１４が、記録部１０２のインターフェース１０６との間に接続され、さらに同様に記録部１０３との間でコンテンツデータのやり取りを行うインターフェース１１５が記録部１０３のインターフェース１０９との間に接続されている。
【００２４】
さらに、ＣＰＵ１１０には、受信部１１２から出力されるＥＳを復号して非圧縮のデジタル映像及び音声信号として出力するデコーダ１１６が接続されている。デコーダ１１６は表示部１１７に接続され、表示部１１７は、デコーダ１１６から供給される信号に基づき標準テレビジョン信号を構築してそれを表示する。
【００２５】
さらにＣＰＵ１１０には、本発明の重要な要素である、ポインタ情報を記憶させるための不揮発性メモリ１１８が接続されている。その動作の詳細については後述する。
【００２６】
第１及び第２の記録部１０２，１０３の記録及び再生動作、及び受信部１１１の選局動作については、ユーザがＣＰＵ１１０にコマンドを送ることで実行されるものであり、ＣＰＵ１１０には、インターフェース１１９を介して操作入力部１２０が接続されている。操作入力部１２０は、例えばリモートコントローラであってもよく、また記録再生処理部１０１の筐体前面に設けられた複数の操作ボタンを含むものとして構成することができる。
【００２７】
次に、以上のように構成されたコンテンツ記録再生装置１００の動作について説明する。  
ユーザが操作入力部１２０を操作して、記録再生処理部１０１に対して、放送番組録画のコマンドを送ると、ＣＰＵ１１０は、メモリ１１１のＲＯＭ部に予め保存された鍵データを用いて、受信部１１２から出力されるＭＰＥＧ２−ＴＳを暗号化して、インターフェース１１４を介して、記録部１０２にコンテンツデータとして送出する。
【００２８】
記録部１０２では、記録再生処理部１０１から供給されたコンテンツデータをインターフェース１０６で受け、コントローラ１０５を介して記録媒体１０４に記録させる。
【００２９】
また、記録したコンテンツを再生するには、操作入力部１２０からインターフェース１１９を介してコマンドをＣＰＵ１１０に送ると、ＣＰＵ１１０は、記録部１０２の記録媒体１０４に記録されているコンテンツのリストを生成して、これをデコーダ１１５を介して表示部１１７に送出して表示させる。
【００３０】
リストはＧＵＩ（Graphical User Interface）形式で生成されており、ユーザは表示されたリストから再生したコンテンツを、操作入力部１２０を操作することで選択する。ＣＰＵ１１０はそれを受けて、記録媒体１０４から選択されたコンテンツを再生してインターフェース１１３を介して取り込み、これを鍵データに基づいて解読してデコーダ１１５に送る。デコーダ１１５では、ＭＰＥＧ２規格に則って復号し、表示部１１７に送って表示させる。
【００３１】
以上は、一般的な記録再生の動作であり、記録媒体としては、第２の記録部１０３の記録媒体１０７を適用することも可能である。
【００３２】
さて、次にいよいよ本発明に係わるコンテンツ記録再生装置の動作について説明する。  
本発明では、第１の記録部１０２の記録媒体１０４あるいは第２の記録部１０３の記録媒体１０７にされたコンテンツデータを、第２の記録部１０３の記録媒体１０７あるいは第１の記録部１０２の記録媒体１０４に移動する処理を実行する際に、不正複写がされないようにしたものであり、その処理の過程を詳細に説明する。
【００３３】
なお、本発明においては、移動元（例えば記録媒体１０４）から移動先（記録媒体１０７）へのコンテンツデータの移動を行う際、両記録媒体１０４，１０７間でＡＲＩＢ（ＴＲ−Ｂ１４第八編５．５．４ムーブ機能）に示された例えば１分間の重複許容期間が設定されていることを前提としている。
【００３４】
コンテンツデータの移動処理も、ユーザが操作入力部１２０を操作することで、ＣＰＵ１１０は、いずれの記録部を移動元とするかの設定画面を表示部１１７に表示させてユーザに選択させると共に、ユーザの選択の結果、移動元に設定された記録媒体に記録されたコンテンツデータのリストを表示部１１７に表示して、移動対象とするコンテンツデータをユーザに選択させるようにする。
【００３５】
ここでは、移動元として第１の記録部１０２が選択されたものとして説明する。ＣＰＵ１１０は、第１の記録部１０２のコントローラ１０５を駆使して、移動対象コンテンツとして選択されたコンテンツデータを記録媒体１０４から読み出させ、インターフェース１１４を介して取り込み、その暗号を解読して、別の暗号化方式（例えばＤＴＣＰ：Digital Transmission Content ProtectionやＣＰＲＭ：Content Protection for Recordable Media）で再暗号化し、インターフェース１１５を介して第２の記録部１０３に送出して、そのコントローラ１０８を駆使して記録媒体１０７に記録させる。
【００３６】
このとき、ＣＰＵ１１０は、まず、不揮発性メモリ１１８中に移動処理中であることを示すフラグを立てる。さらにＣＰＵ１１０は、図２に示すように、移動元の記録媒体１０４のコンテンツデータの読み出し位置を当該コンテンツデータの記録先頭からのバイト数で特定して読み出しポインタデータＡを得ると共に、そのポインタデータＡに対して、重複許容期間だけ遡った記録媒体１０４の位置を、これも記録先頭からのバイト数で特定してポインタデータＢを得る。
【００３７】
さらにＣＰＵ１１０は、ポインタデータＡとＢの間に、ポインタデータＣを設定してこれをユーザが読み出し不可能なデータに変換して不揮発性メモリ１１８に記憶させる。
【００３８】
ポインタデータＡ及びＢは、同じ間隔を保ったままコンテンツデータの移動処理の推移に連動して連続的に変化していく。これに対して、ポインタデータＣは、重複許容期間内にある限り固定の値を有するものとして処理され、移動処理が進んでいくとポインタデータＢに徐々に近づいていく。ＣＰＵ１１０は、ポインタデータＣが重複許容期間を外れそうになったら、図３に示すように、よりポインタデータＡに近い位置にジャンプさせ、その更新されたデータを不揮発性メモリ１１８に新たに記憶させる。
【００３９】
移動元の記録媒体１０４の、このポインタデータＣの位置より前方（記録先頭まで）に存在するコンテンツデータは、ＣＰＵ１１０によって再生不可能な状態に設定される。すなわち、ポインタデータＣは、再生不可境界位置情報でもある。
【００４０】
全てのデータの移動が完了した場合には、ＣＰＵ１１０は移動処理を示すフラグを不揮発性メモリ１１８から降ろし、さらにポインタデータＣを不揮発性メモリ１１８から削除して、処理を終了する。  
移動処理の途中で、電源遮断等によって処理が中断された場合、不揮発性メモリ１１８の移動処理中であることを示すフラグと、ポインタデータＣはそのまま保持されており、移動処理を再開すると、ＣＰＵ１１０は、不揮発性メモリ１１８の移動処理中であることを示すフラングを認識して、次いでポインタデータＣを読み出して、記録媒体１０４のこのポインタデータＣに対応する位置から、コンテンツデータの移動を再開する。このタイミングは、第２の記録部１０３の記録媒体１０７に移動済のコンテンツデータに対して、重複許容期間内であり、不正複製とはならない。
【００４１】
また、不揮発性メモリ１１８に記憶されたポインタデータＣは、暗号化等によって、ユーザが読み出して勝手に改ざんできないようなフォーマットで不揮発性メモリ１１８に記憶されているものであり秘匿性は厳重に管理されるものである。  
以上のように構成されたコンテンツ記録再生装置において、コンテンツデータの移動処理を実行することによって、不正複製を防止することができるものである。
【００４２】
次に、以上説明した処理を図４及び図５のフローチャートを用いて改めて説明する。図４は、コンテンツデータの移動処理を最初から示すフローチャートであり、図５は、電源遮断等によって一旦中断された処理を再開した際の処理を示すフローチャートである。図４及び図５に示す処理においても、コンテンツの移動処理の進行状況（記録媒体上の位置）を、記録先頭からの移動済みバイト量で捕らえて、処理を管理するものである。
【００４３】
図４において、ステップＳ４０１で開始され、ステップＳ４０２でコンテンツ移動中のフラグを不揮発性メモリ１１８に立てる。
【００４４】
次に、ステップＳ４０３で、移動するコンテンツデータの記録先頭位置情報をポインタデータＣとして不揮発性メモリ１１８に書き込む。次いでステップＳ４０４でコンテンツの移動処理を開始し、ステップＳ４０５で、不揮発性メモリ１１８に記憶した位置情報に所定値（α）を加えたものが、移動先頭位置（ポインタデータＡ）からコンテンツ重複許容期間遡った位置（ポインタデータＢ）情報に等しいかまたは小さくなったか否かの判定を行う。
【００４５】
すなわち、移動処理が進行して、不揮発性メモリ１１８に書き込んだ位置情報が、コンテンツ重複許容期間内に存在する限界になったか否かを判定し、式の条件を満たす場合、すなわち限界になったことが判定された場合に、最も移動先頭位置に近い位置情報を、再生不可境界位置情報（ポインタデータＣ位置情報）として不揮発性メモリ１１８に書き込み、次いでステップＳ４０７で、ステップＳ４０６において不揮発性メモリ１１８に書き込んだ再生不可境界位置情報より、記録先頭位置側のコンテンツを再生不可能な状態にする。
【００４６】
次いで、ステップＳ４０８で移動対象のコンテンツデータ全ての移動処理が完了したか否かの判定がなされ、完了しないと判定された場合には、ステップＳ４０５に戻って、再生不可境界位置情報（ポインタデータＣの位置情報）が、重複許容期間内に常に存在するように、ステップＳ４０５とＳ４０６の処理を続ける。
【００４７】
ステップＳ４０８でコンテンツデータの移動処理が完了したと判定された場合には、ステップＳ４０９で、ステップＳ４０２において不揮発性メモリ１１８に立てたコンテンツ移動中を示すフラグを降ろし、ステップＳ４１０で処理を終了する。
【００４８】
移動処理が中断されてから再開された場合を含む移動処理の場合には、図５の処理が実行されるものであり、ステップＳ５０１で開始され、ステップＳ５０２で不揮発性メモリ１１８にコンテンツ移動中であることを示すフラグが立っているか否かの判定を行い、フラグが立っていなければ、ステップＳ５０３で通常の起動動作を行う。
【００４９】
ステップＳ５０２でコンテンツ移動中を示すフラグが立っていると判定されたら、この場合、コンテンツ移動処理中に中断されたものと判断し、その前提に基づいて以降の処理を行う。すなわち、まずステップＳ５０４でコンテンツの移動を再開するか否かの判定がなされ、再開すると判定された場合には、ステップＳ５０６で不揮発性メモリ１１８に記憶された再生不可境界位置情報（ポインタデータＣ）の位置を移動先頭としてコンテンツの移動処理を開始する。
【００５０】
ステップＳ５０６、Ｓ５０７、Ｓ５０８及びＳ５０９は、図４のステップＳ４０５〜Ｓ４０８の処理と同じであり、再生不可境界位置が、移動先頭から重複許容期間遡った位置内に常に位置するように、再生不可境界位置情報（ポインタデータＣ）の位置を順次更新して不揮発性メモリ１１８に書き込み、かつ再生不可境界位置より記録先頭側のコンテンツを再生不可能にする処理であり、それをコンテンツの移動処理が完了するまで実行する。
【００５１】
ステップＳ５０９で、コンテンツデータの移動が完了したと判定された場合には、ステップＳ５１０で、不揮発性メモリ１１８に立てたコンテンツ移動中を示すフラグを降ろして、ステップＳ５１１で処理を終了する。
【００５２】
また、ステップＳ５０４でコンテンツの移動を再開しないと判定された場合には、ステップＳ５１２でコンテンツの全削除あるいは無効部分の削除等の処理を行って、ステップＳ５０９に移り、コンテンツ移動中を示すフラグを降ろして、ステップＳ５１０で処理を終了する。
【００５３】
以上のように本発明によれば、移動処理中に、移動元記録媒体の移動先頭位置（ポインタＡ）と、この移動先頭位置から重複許容期間だけ遡った位置（ポインタＢ）との間に、再生不可境界位置（ポインタＣ）を設定し、コンテンツの移動処理が進行して、再生不可境界位置が重複許容期間から外れそうになったら、移動先頭位置に最も近い位置を新たに再生不可境界位置として位置情報を不揮発性メモリ１１８に書き込み、書き込んだ再生不可境界位置から記録先頭側のコンテンツを再生不可能にするように構成したため、移動処理の途中で処理が中断してしまっても、不揮発性メモリ１１８に書き込まれた再生不可境界位置情報を読出して、その位置から移動処理を再開することになるため、不正複写を防止することができるものである。
【図面の簡単な説明】
【００５４】
【図１】本発明に係るコンテンツ記録再生装置の一実施の形態を示す回路ブロック図。
【図２】図１に示す装置の動作を説明するためのタイミングチャート。
【図３】図１に示す装置の動作を説明するためのタイミングチャート。
【図４】図１に示す装置の動作を説明するためのフローチャート。
【図５】図１に示す装置の動作を説明するためのフローチャート。
【符号の説明】
【００５５】
１００…コンテンツ記録再生装置
１０１…記録再生処理部
１０２…第１の記録部
１０３…第２の記録部
１０４…記録媒体
１０５…コントローラ
１０６…インターフェース
１０７…記録媒体
１０８…コントローラ
１０９…インターフェース
１１０…ＣＰＵ
１１１…メモリ
１１２…受信部
１１３…アンテナ
１１４…インターフェース
１１５…インターフェース
１１６…デコーダ
１１７…表示部
１１８…不揮発性メモリ
１１９…インターフェース
１２０…操作入力部
【図１】
2005339743.tif 000003
【図２】
2005339743.tif 000004
【図３】
2005339743.tif 000005
【図４】
2005339743.tif 000006
【図５】
2005339743.tif 000007